(57)【要約】【課題】  顧客の誕生日によって異なる曲目の音楽情報を提供できる。すなわち、「マイソング（自分の曲）」を提供されたような印象を顧客に与えることができる。【解決手段】  記憶装置（１０）と、入出力装置（２０）と、処理装置（３０）とを備えたコンピュータ（９９）による音楽情報提供システム（１００）であって、前記記憶装置（１０）には、予め用意された複数の音楽情報と、前記顧客（１aa〜１zz）の誕生日（01/01〜12/31）を含んで入力される受注情報と、を読み出し自在に記憶し、前記入出力装置（２０）には、前記受注情報を入力する受注情報入力手段（２１）と、前記顧客（１aa〜１zz）に音楽情報を提供する音楽情報提供手段（２２）と、を有し、前記処理装置（３０）は、前記受注情報の入力に応じて前記音楽情報を選曲する選曲手段（３１）と、を構成したことを特徴とする音楽情報提供システム（１００）。又、それを用いた方法。【選択図】      図１
2005164969.tif 000002
【特許請求の範囲】
【請求項１】
記憶装置と、入出力装置と、処理装置とを備えたコンピュータによる音楽情報提供システムであって、
前記記憶装置には、予め用意された複数の音楽情報と、
顧客の誕生日を含んで入力される受注情報と、
を読み出し自在に記憶し、
前記入出力装置には、前記受注情報を入力する受注情報入力手段と、
前記顧客に音楽情報を提供する音楽情報提供手段と、を有し、
前記処理装置は、前記受注情報の入力に応じて前記音楽情報を選曲する選曲手段と、を構成したことを特徴とする音楽情報提供システム。
【請求項２】
前記記憶装置には１月１日から１２月３１日までの日付に対応するメモリ番地毎に前記音楽情報が選曲自在に記憶され、
前記選曲手段は顧客が入力した誕生日に応じて前記メモリ番地に記憶されている情報を読み出すことを特徴とする請求項１に記載の音楽情報提供システム。
【請求項３】
前記音楽情報には添付情報として、前記誕生日から連想される文字、図形、記号、言語、音声、及び／又はイメージ画像を含み、
前記添付情報は、前記誕生日に関連する花、季節、星座、日付の文字、及び／又は宝石で構成され、
前記選曲手段の選曲に付随した前記添付情報を顧客に知覚可能な形態で出力することを特徴とする請求項１又は請求項２に記載の音楽情報提供システム。
【請求項４】
前記入出力装置には通信接続手段を含み、インターネットに接続されたパーソナルコンピュータ又は携帯電話との情報通信可能であることを特徴とする請求項１ないし請求項３の何れかに記載の音楽情報提供システム。
【請求項５】
請求項１ないし請求項４の何れかに記載の音楽情報提供システムを用い、顧客が誕生日を入力する段階と、前記誕生日に該当する音楽情報を選曲手段が選曲して読み出す段階と、前記顧客が前記音楽情報を受け取る段階と、を備えたことを特徴とする音楽情報提供方法。
【発明の詳細な説明】
【技術分野】
【０００１】
本発明は、演奏音及びイメージ画像等による音楽関連情報を、顧客の求めに応じて提供する音楽情報提供システム及びその方法に関する。
【背景技術】
【０００２】
古くは、サロン等に設置された有料音楽演奏装置として、選曲自在に配設されたＥＰ（ドーナツ）盤レコードの多数から、顧客が好みに応じて曲名選択スイッチにより選曲し、例えば１曲１００円にて、レコード再生する自動レコード再生装置（ジュークボックス）があった。
【０００３】
又、イメージ映像を背景に歌詞を表示するカラオケ再生装置もあった。
【０００４】
その他、特許文献１に示すように、所定のデータベースから着信メロディーデータを受信することと、受信したゲームソフトでゲームを実行することとを関連付けて、着信メロディーデータの受信行為をもゲーム化するような着信メロディーの取得方法と装置もあった。
【０００５】
その着信メロディーの取得方法と装置は、通信回線網を介してデータセンターにアクセス可能な電話機とから構成されており、データセンターには曲データベースと、ゲームデータベースとを備えている。そして、移動電話機は、データセンターに所望のゲームデータと曲データとを要求し、まずゲームデータのみを送信する。
【０００６】
それから、移動電話機では表示部でゲームを行い、その後このゲーム結果をデータセンターに送信する。データセンターはこのゲーム結果に基づき前記所望の曲データを移動電話機に送信する。さらに、移動電話機では、この曲データをメモリに記憶された着信メロディーデータと置換する。
【特許文献１】特開２００１−２６８２７３号公報（段落０００３〜０００５、図１）
【発明の開示】
【発明が解決しようとする課題】
【０００７】
しかしながら、面白さの点で、更なる工夫が求められていた。そこで、本発明では、既存のインフラ、ハードウェア、移動端末としての携帯電話、固定端末としてのパーソナルコンピュータを利用する顧客が、手軽に取得できる有料情報として、マイソング（自分の歌）を提供するようにしたコンピュータ応用の装置である。
【課題を解決するための手段】
【０００８】
請求項１に係る発明は、記憶装置と、入出力装置と、処理装置とを備えたコンピュータによる音楽情報提供システムであって、前記記憶装置には、予め用意された複数の音楽情報と、顧客の誕生日を含んで入力される受注情報と、を読み出し自在に記憶し、前記入出力装置には、前記受注情報を入力する受注情報入力手段と、前記顧客に音楽情報を提供する音楽情報提供手段と、を有し、前記処理装置は、前記受注情報の入力に応じて前記音楽情報を選曲する選曲手段と、を構成したことを特徴とする音楽情報提供システムである。
【０００９】
請求項１に係る発明によれば、顧客の誕生日を含む受注情報の入力に応じて、コンピュータの前記記憶装置に予め用意された複数の音楽情報から、顧客の誕生日に該当する音楽情報を、選曲手段が選曲して読み出し、音楽情報提供手段を経由して前記顧客に提供できる。
【００１０】
請求項２に係る発明は、前記記憶装置には１月１日から１２月３１日までの日付に対応するメモリ番地毎に前記音楽情報が選曲自在に記憶され、前記選曲手段は顧客が入力した誕生日に応じて前記メモリ番地に記憶されている情報を読み出すことを特徴とする請求項１に記載の音楽情報提供システムである。
【００１１】
請求項２に係る発明によれば、顧客が入力した誕生日に該当するメモリ番地に記憶されている音楽情報が選曲されて出力されるので、前記顧客は手軽にマイソング（自分の歌曲）を楽しめる。
【００１２】
請求項３に係る発明は、前記音楽情報には添付情報として、前記誕生日から連想される文字、図形、記号、言語、音声、及び／又はイメージ画像を含み、前記添付情報は、前記誕生日に関連する花、季節、星座、日付の文字、及び／又は宝石で構成され、前記選曲手段の選曲に付随した前記添付情報を顧客に知覚可能な形態で出力することを特徴とする請求項１又は請求項２に記載の音楽情報提供システムである。
【００１３】
請求項３に係る発明によれば、前記誕生日から連想される文字、図形、記号、言語、音声、及び／又はイメージ画像を前記音楽情報に付随して出力することにより、前記誕生日に関連した選曲の理由付けが明示できるので、面白みを倍増できる。
【００１４】
請求項４に係る発明は、前記入出力装置には通信接続手段を含み、インターネットに接続されたパーソナルコンピュータ又は携帯電話との情報通信可能であることを特徴とする請求項１ないし請求項３の何れかに記載の音楽情報提供システムである。
【００１５】
請求項４に係る発明によれば、顧客は手近にあるパーソナルコンピュータ又は携帯電話により注文した音楽情報を出力できるので、手軽にマイソング（自分の歌曲）を楽しめる。
【００１６】
請求項５に係る発明は、請求項１ないし請求項４の何れかに記載の音楽情報提供システムを用い、顧客が誕生日を入力する段階と、前記誕生日に該当する音楽情報を選曲手段が選曲して読み出す段階と、前記顧客が前記音楽情報を受け取る段階と、を備えたことを特徴とする音楽情報提供方法である。
【００１７】
請求項５に係る発明によれば、請求項１ないし請求項４のそれぞれと同等の効果が得られる。
【発明の効果】
【００１８】
請求項１に係る発明によれば、顧客別の誕生日によって異なる曲目の音楽情報を提供できる。
【００１９】
請求項２に係る発明によれば、顧客が入力した誕生日に該当するメモリ番地に記憶されている音楽情報が選曲されて出力されるので、前記顧客は手軽にマイソング（自分の歌曲）を楽しめる。
【００２０】
請求項３に係る発明によれば、前記誕生日から連想される文字、図形、記号、言語、音声、及び／又はイメージ画像を前記音楽情報に付随して出力することにより、前記誕生日に関連した選曲の理由付けが明示できるので、面白みを倍増できる。
【００２１】
請求項４に係る発明によれば、顧客は手近にあるパーソナルコンピュータ又は携帯電話により注文した音楽情報を出力できるので、手軽にマイソング（自分の歌曲）を楽しめる。
【００２２】
請求項５に係る発明によれば、請求項１ないし請求項４のそれぞれと同等の効果が得られる。
【発明を実施するための最良の形態】
【００２３】
次に、本発明の実施形態について、適宜図面を参照しながら詳細に説明する。
図１は、本発明に係る音楽情報提供システム（以下、「本システム」と略す）１００の構成図であり、主要部をなすコンピュータ９９が、パーソナルコンピュータ（以下、「パソコン」と略す）２又は携帯電話３を利用する顧客１aa，１ａｂ，１zzと、インターネット４を介して情報接続可能に構成されている。
【００２４】
このコンピュータ９９は、周知のＨＤＤ（Ｈａｒｄ  Ｄｉｓｃ  Ｄｒｉｖｅ）やＲＡＭ（Ｒａｎｄａｍ  Ａｃｃｅｓｓ  Ｍｅｍｏｒｙ）のように書き込み読み出し自在のハードウェア、読み出し専用のＣＤ−ＲＯＭ（Ｒｅａｄ  Ｏｎｌｙ  Ｍｅｍｏｒｙ）、ＤＶＤ（ＤｉｄｉＶＤ）等でなる記憶装置１０と、入出力装置２０と、ＣＰＵ（Ｃｅｎｔｒａｌ  Ｐｒｏｃｅｓｓｓｉｎｇ  Ｕｎｉｔ）と通称される処理装置３０とを備えて、ごく簡素に構成されているので、常時無人で動作するサーバと読み替えても構わない。
【００２５】
記憶装置１０には、予め３６６の曲目に分類された音楽情報と、顧客１aa〜１zzの誕生日、すなわち１月１日から１２月３１日までのうち何れかの日（以下、「誕生日（01/01〜12/31）」と略す）を含んで入力される受注情報と、を書き込み読み出し自在に記憶する。ただし、前記音楽情報は読み出し専用としてＣＤ−ＲＯＭに格納したものでも構わないし、そのＣＤ−ＲＯＭを流行に合わせて適宜に更新してもよい。
【００２６】
入出力装置２０は、コンピュータ９９が有人操作によるパソコンで構成されているならば、図示せぬキーボード、ディスプレイ及びプリンタ等が該当し、さらにインターネット接続用のモデム、閲覧ソフトであるブラウザ等を意味する通信接続手段２３が含まれている。
【００２７】
図１における入出力装置２０は、機能面を明確にして、顧客１aa〜１zzからの受注情報を入力する受注情報入力手段２１と、顧客１aa〜１zzに音楽情報を提供する音楽情報提供手段２２と、を有している。
【００２８】
入出力装置２０を構成するハードウェアも、操作者又は利用者の視聴覚に直接作用しない部分の大半は、ＨＤＤ等の記憶装置１０に格納されたソフトウェアが起動することにより機能しているが、その旨の図解説明は省略している。そして、機能だけに着目すれば、受注情報入力手段２１は、顧客１aa〜１zzの誕生日（01/01〜12/31）を含む受注情報を入力して受け付ける機能のプログラム、音楽情報提供手段２２は、顧客１aa〜１zzの求めに応じて音楽情報を提供する機能のプログラムであるが、後記するように若干のハードウェアも含まれている。
【００２９】
通信接続手段２３は入出力装置２０に含まれており、周知のようにモデムは主に電子回路で構成されたハードウェア、ブラウザ等は情報閲覧用のソフトウェアであり、コンピュータ９９とインターネット４を媒介して、顧客１aaの利用するパソコン２及び顧客１aｂ，１zzがそれぞれ利用する携帯電話３との間で、双方向の情報通信を可能にしている。
【００３０】
処理装置３０は、前記受注情報の入力に応じて前記音楽情報を選曲する選曲手段３１を構成しており、具体的な選曲の動作に関しては後述する。
【００３１】
記憶装置１０に記憶された音楽情報の構成は、図示するようにメモリ番地０１０１からメモリ番地１２３１まで３６６区分のメモリ領域があり、カレンダーの１月１日から１２月３１日と同様の計数方法で番地を付している。例えば、１月１日を０１０１とし、１２月３１日を１２３１としている。
【００３２】
メモリ番地０１０１には１月１日から連想される「新春○○」という音楽情報と、１月１日から連想される事柄として、誕生日の花である「ふくじゅそう」「まつ」「つばき・白」「スノードロップ」（図２参照）、占星術に基づく「やぎ座」（図４参照）、誕生月の宝石（以下、「誕生石」という）である「ガーネット」及び象徴する言葉「友愛」「真実」「貞操」「忠実」（図５参照）が、前記音楽情報の添付情報として、文字図形、記号、言語が音声及び／又はイメージ画像を含む情報として記憶されている。
【００３３】
図２は、１月１日から１月１４日までの分を抜粋した誕生日の花の説明図である。
図３は、１２月１８日から１２月３１日までの分を抜粋した誕生日の花の説明図である。
図２，３におけるＴ，Ｎ，Ｕ，Ｆタイプの区別があるのは、誕生日の花（３６５日又は３６６日の花）とは、編集者によって集録する花に差異があり、国語辞典等に記載できる程には、権威ある定義のようなものが確立されていないからである。
図４は、占星術における星座の一覧図である。
図５は、１月から１２月までの誕生日の宝石（誕生石）及び関連語句の説明図である。
図２〜５に記載したような、誕生日から連想される事柄及び象徴する言葉が、前記音楽情報の添付情報として音声及び／又はイメージ画像を含む情報として記憶されている。
【００３４】
なお、音声及び／又はイメージ画像を含む情報を書き込み読み出し自在とするならＨＤＤ又はＲＡＭ、読み出し専用ならばＣＤ−ＲＯＭ又はＤＶＤ等が適する。さらにＣＤ−ＷＲ／ＤＶＤ−ＷＲのように書き込み読み出し自在の記録媒体もある。
【００３５】
ここで、選曲手段３１が前記受注情報の入力に応じて前記音楽情報を選曲する具体的な選曲の動作に関して説明する。
【００３６】
まず、顧客１aaが手近で利用するパソコン２を操作して、コンピュータ９９にアクセスし、顧客１aaの誕生日である１月１日をキーボードから入力することにより、インターネット４から、通信接続手段２３及び受注情報入力手段２１を経由した前記受注情報を記憶装置１０に記憶させた上で、誕生日である１月１日との情報（以下「誕生日情報」という）が選曲手段３１へと入力される。
【００３７】
選曲手段３１は、１月１日との誕生日情報により、記憶装置１０に対して検索を実行し、メモリ番地０１０１にある音楽情報「新春○○」及びその添付情報を読み出して、これらを音楽情報提供手段２２に渡すことにより検索を完了する。
【００３８】
音楽情報提供手段２２は、読み出した音楽情報及び添付情報を、前記受注情報とは逆方向に、通信接続手段２３及びインターネット４を経由し、顧客１aaへ手近のパソコン２を用いてダウンロードさせる方法により提供する。
【００３９】
顧客１aaの操作に対応する一連の動作（以下「音楽情報ダウンロード」という）は、例えば、光ファイバーやブロードバンドによる高速通信の場合は、数秒程度で完了し、ダウンロード完了後に、適宜に音楽や文字、画像等を再生して楽しむことができる。すなわち、音楽情報のファイルを開き、そのデジタル信号をデジタル／アナログ変換する電子回路により可聴周波数の音声信号に復号し、これを増幅してスピーカを駆動する。
【００４０】
つぎに、顧客１aｂがメール機能付の携帯電話３を操作してコンピュータ９９にアクセスし、顧客１aｂの誕生日である１２月２４日の日付をテンキー又は画面表示の案内に沿った矢印キーから入力することにより、インターネット４から、通信接続手段２３及び受注情報入力手段２１を経由した前記受注情報が、記憶装置１０に記憶された上で、顧客１aｂの誕生日である１２月２４日との誕生日情報が選曲手段３１へと入力される。
【００４１】
選曲手段３１は、１２月２４日との誕生日情報により、検索を実行し、メモリ番地１２２４にある音楽情報「クリスマス・イブ」及び添付情報を読み出して、音楽情報提供手段２２に渡して検索を完了する。
【００４２】
音楽情報提供手段２２は、読み出した音楽情報「クリスマス・イブ」及び添付情報を、前記受注情報とは逆方向に、通信接続手段２３及びインターネット４を経由して顧客１aｂの携帯電話３へダウンロードする方法により提供する。すなわち、顧客１aｂは「着信メロディー」等の有料配信サービスに似た方法によりコンテンツを受領する。
【００４３】
そして、顧客１ｚｚがメール機能付の携帯電話３を操作してコンピュータ９９にアクセスした場合も、同様であり、異なるのは誕生日情報に応じたメモリ番地の音楽情報及び添付情報を取得することである。ただし、コンピュータ９９にアクセスした顧客１ａａ〜１ｚｚが誰であれ、誕生日情報だけで提供される情報が決定されることに変わりない。
【００４４】
又、顧客１aa〜１zzが入力した誕生日01/01〜12/31に該当するメモリ番地0101〜1231に記憶されている音楽情報が選曲されて出力されるので、前記顧客１aa〜１zzは手軽にマイソング（自分の歌曲）を楽しめる。
【００４５】
なお、誕生日01/01〜12/31に該当するメモリ番地0101〜1231は、必ずしもメモリ番地である必要はなく、日付に対応した音楽情報が選曲されて出力されるのであれば、他の方法でも構わない。
【００４６】
又、誕生日01/01〜12/31から連想される文字、図形、記号、言語、音声、及び／又はイメージ画像を前記音楽情報に付随して出力することにより、前記誕生日01/01〜12/31に関連した選曲の理由付けが明示できるので、面白みを倍増できる。
【００４７】
このように、本システム１００によれば、顧客１aa〜１zzの誕生日01/01〜12/31を含む受注情報の入力に応じて選曲された音楽情報を提供できる。
【００４８】
すなわち、１月１日から１２月３１日までの３６５（又は３６６）日に、１〜３６５（又は３６６）番目まで異なる３６５（又は３６６）種類の曲目が、１対１で対応する選曲手段３１が作動することにより、１月１日と入力すれば１番目の曲目が特定され、１２月３１日と入力すれば３６５（又は３６６）番目の曲目が特定され、それぞれの場合に対応する曲目に係る音楽情報が音楽情報出力手段から出力される。
【００４９】
又、添付情報は音楽情報の記憶された番地に付随して記憶されているので、音楽情報に伴って読み出される。
【００５０】
図６は、本発明に係る音楽情報提供システムを用いた音楽情報提供方法のフローチャートである。なお、図６における表現は、「段階」の文言を省略している。そして、顧客１aa〜１zzの立場によるものであり、「音楽情報を受け取る段階Ｓ３」と「音楽情報を提供する段階」は視点を変えれば同一の意味である。
【００５１】
図６に示すように、本システム１００を用い、顧客１aa〜１zzが誕生日01/01〜12/31を入力する段階Ｓ１と、前記誕生日01/01〜12/31に該当する音楽情報を選曲手段３１が選曲して読み出す段階Ｓ２と、前記顧客１aa〜１zzが前記音楽情報を受け取る段階Ｓ３と、を備えたことを特徴とする音楽情報提供方法も本発明に含まれる。
【図面の簡単な説明】
【００５２】
【図１】本発明に係る音楽情報提供システムの構成図である。
【図２】１月１日から１月１４日までの分を抜粋した誕生日の花の説明図である。
【図３】１２月１８日から１２月３１日までの分を抜粋した誕生日の花の説明図である。
【図４】占星術における星座の一覧図である。
【図５】１月から１２月までの誕生日の宝石（誕生石）及び関連語句の説明図である。
【図６】本発明に係る音楽情報提供システムを用いた音楽情報提供方法のフローチャートである。
【符号の説明】
【００５３】
１aa〜１zz  顧客
４      インターネット
２      パーソナルコンピュータ
３      携帯電話
１０    記憶装置
２０    入出力装置
２１    受注情報入力手段
２２    音楽情報提供手段
２３    通信接続手段
３０    処理装置
３１    選曲手段
９９    コンピュータ
１００  音楽情報提供システム
01/01〜12/31  誕生日
0101〜1231  メモリ番地
【図１】
2005164969.tif 000003
【図２】
2005164969.tif 000004
【図３】
2005164969.tif 000005
【図４】
2005164969.tif 000006
【図５】
2005164969.tif 000007
【図６】
2005164969.tif 000008